(57)【要約】【課題】  今日、自然環境汚染の地球温暖化を起こしている大気汚染、そして、河川水域汚染による生物生態系の破壊、又、酸性雨による耕作地の土壌微生物の死滅による痩地での作物の劣化、これらは最終的人間自身の健康被害をもたらすもので改善しなければならない課題である。【解決手段】浄化槽や汚水処理場の汚泥、又、屎尿処理場の汚泥、生ゴミ、食品廃棄物を再利用し加えて有効的なイオン床材にし、自身の特許第３７４２８２７号のイオンガ−デとしての環境浄化システム、及び、特許出願中のイオン浄水器と天然オゾン及びイオン水の製造方法、又、三相爆気装置とその汚水浄化装置との相乗効果により、生物エネルギ−を環境に満たすことで課題を解決するものである。【特許請求の範囲】
【請求項１】
屎尿汚泥、食品廃棄物、、生ゴミ、家畜排泄物を原料としたものを腐殖有機物とし、この腐殖有機物３に対し、黒ボク土１、火山砂２、又は、花崗岩土２の容量比割合を目安に混ぜ合わせて成るもの物をイオン培養土とする。そして、混ぜ合わせた其々の物質の働きとして、腐殖有機物の有した陰イオンエネルギ−と黒ボク土と花崗岩土の有した陽イオンエネルギ−がイオン結合することにより中性イオンエネルギ−が合成され、この中性エネルギ−を有させたイオン床材により、水で植物や微生物に生物エネルギ−を供給することを特徴とするイオン床材とその製造方法。
【請求項２】
腐植土１に黒ボク土１と火山砂１、又は、花崗岩土１と凝固剤１の容量比割合で混ぜ合わせ、更に火山礫、又は、花崗岩礫に水を加えて練り合わせて乾燥固化する。その固化の形状で角状の物を漁礁に、平板状の物は敷板や所定の塊状、又は、粒状に割砕して、漁礁ともどもイオン床材とする。  そして、混ぜ合わせた其々の物質の働きとして、腐植土の有した陰イオンエネルギ−と黒ボク土と火山砂礫、又は、花崗岩砂礫の有した陽イオンエネルギ−がイオン結合することにより中性イオンエネルギ−が合成され、この中性エネルギ−を放出するイオン床材により、水で植物や微生物に生物エネルギ−を供給することを特徴としたイオン床材とその製造方法。
【請求項３】
黒ボク土１に硅藻土１と火山砂、又は火成岩粉末２の容量比割合を目安に水を加え、煉瓦状に焼成して固化した後、所定の塊状、又は、粒状に割砕してイオン床材とする。そして、混ぜ合わせた其々の物質の働きとして、黒ボク土、硅藻土、火山砂、火山粉末の有した陽イオンエネルギ−が相乗して放出され、水で植物、動物（家畜）魚介類に供給することを特徴とするイオン床材とその製造方法。
【請求項４】
腐蝕土１と硅藻土１、及び、火山砂１とを凝固剤２で混ぜ合わせ、更に、火山礫２と水を加えて練り合わせ平板状に乾燥固化した後、所定の塊状、及び、粒状に割砕してイオン床材とする。そして、混ぜ合わせた其々の物質の働きとして、腐殖土、及び、硅藻土の有した陰イオンエネルギ−と火山砂、及び、火山礫の有した陽イオンエネルギ−とがイオン結合することにより中性イオンエネルギ−が合成され、イオン床材からの放出エネルギ−が併せて陰イオンエネルギ−と陽イオンエネルギ−の放出も可能としたことを特徴とするイオン床材とその製造方法。
【発明の詳細な説明】
【技術分野】
【０００１】  本発明は、自然環境の汚染の内で、化学肥料や農薬による耕作地の痩地からなる土壌微生物の減少による農作物の品質劣化の防止、及び、河川水域の魚介類の減少を防止し、生物全体の生態系を保護する対策のもので、その結果、人間の生活環境を健康的に改善することを目的とし、そのために関連したイオンガ−デンとしての環境浄化システム（特許第３７４２８２７号）及び、イオン浄水器と天然オゾン及びイオン水の製造方法（特許出願中）又、三相曝気装置とその汚水浄化装置（特許出願中）の各技術とともにその相乗効果を得ることをして、生物（植物、動物（家畜）、微生物、魚介類）の生物エネルギ−の源に対して、エコシステムの心理である陰陽増大の法則を肯定する技術分野のものである。
【背景技術】
【０００２】  請求項１について、従来、食品工場の廃棄物、生ゴミ、下水処理場と汚水浄化槽の汚泥等、これらの処理で焼却場の焼却処理に於いて、化石燃料の大量使用により、地球温暖化の原因を生じさており、又、焼却による粉塵や煤煙による酸性雨による農作物への被害影響を及んでおり結果土壌が痩地となりつつある。【０００３】  請求項２について、汚水浄化槽の放流水や下水処理場の処理水への凝集剤、及び、塩素滅菌剤の使用よる河川水域の悪影響として、魚介類は壊滅的に減少しつつあり、その生態系が破壊されており従来技術のままでは河川水域の環境を守ることはできない。【０００４】  請求項３について、従来、汚水浄化槽の接触材として利用された例はあるが、陽イオンエネルギ−が強過ぎて微生物の生息場所としては適さない、又、製造費も高く他の接触材に対抗できない。【０００５】  請求項４について、従来、汚水浄化の接触材に於いて、黒ボク土に火山灰礫とセメントで固めたもので、微生物を付着させ生息場所としているが、セメントと黒ボク土との中和が計れなく、強アルカリ性となり微生物の生息場所に適さない、材質が軟弱なため運搬や搬入の際に壊れ、商品価値が全く無い状態である。
【発明の開示】
【発明が解決しようとする課題】
【０００６】  本発明は、環境汚染の防止により、公害を出さない健康的に快適な住居造りを目的としたイオンガ−デンとしての環境浄化システム（特許第３７４２８２７号）及び、イオン浄水器と天然オゾン及びイオン水の製造方法（特許出願中）又、三相爆気装置とその汚水浄化装置（特許出願中）に係る生物のイオン床材であり土壌汚染、河川水域汚染の防止に於いて次に掲げる課題を解決するものでる。【０００７】  従来、食品工場の廃棄物、生ゴミ、下水処理場と汚水浄化槽の汚泥等、これらの処理で焼却場の焼却処理に於いて、化石燃料の大量使用により、地球温暖化の原因となり、又、焼却による粉塵や煤煙による酸性雨による農作物への被害影響を及ぼし、同時に土壌も痩地となりつつある問題を課題とする。【０００８】  従来、屎尿汚泥は海洋投棄が禁止となり、屎尿焼却場で焼却処理を行なうものであるが焼却のための化石燃料の大量消費により、地球温暖化を招く環境汚染を起こしており問題であり課題とする。【０００９】  従来、水道水や地下水の浄水器に於いては、ビニ−ル製濾過材や鉱物性の濾過材を用いているが、これらの濾過材は嫌気化された水道水や地下水を好気化する効果がなく、目詰まりを起こして嫌気性細菌（病原性大腸菌）が発生する原因となり、又、水道水の塩素滅菌剤に対する効果が全くなく問題であり、生物に良い水に改善できず健康的でなく課題である。【００１０】  従来、汚水浄化槽の放流水や下水処理場の処理水への凝集剤、及び、塩素滅菌剤による河川水域の悪影響として、魚介類は壊滅的に減少しつつあり、その生態系が破壊されており従来技術のままでは河川水域の環境を守ることはできなく問題であり課題とする。【００１１】  従来、汚水浄化槽の接触材として利用された例はあるが、陽イオンエネルギ−が強過ぎ微生物の生息場所としては適さない、又、製造費が高く、他の接触材に対抗できない問題がある。【００１２】  従来、汚水浄化の接触材に於いて、黒ボク土に火山灰礫とセメントで固めたもので、微生物を付着させ生息場所としているが、セメントと黒ボク土との中和が計れなく、強アルカリ性となり微生物の生息場所に適さない、材質が軟弱なため運搬や搬入の際に壊れ、商品価値が全く無い状態であり問題である。
【問題を解決するための手段】
【００１３】  課題〔０００７〕では、食品の廃棄物、生ゴミ、下水処理場と汚水浄化槽の汚泥を有効利用する対策で腐殖有機物とし、請求項１、２におけるイオン培養土をもって土壌を改良して課題を解決する。
【００１４】  従来、屎尿汚泥の海洋投棄の禁止で、屎尿焼却場の焼却処理にともない化石燃料の大量消費による地球温暖化や粉塵、煤煙の大気汚染による酸性雨での土壌汚染について、請求項２におけるイオン漁礁、及び、敷材をもって屎尿汚泥の有効利用によりこれらの課題を解決する。
【００１５】  〔０００８〕の課題では、水により、陽イオンエネルギ−を植物、動物（家畜）、魚介類に供給するべく、請求項３のイオン床材により従来の浄水器では改善できない水環境を整えることでそれを解決する。
【００１６】  従来の下水処理場、及び、汚水浄化槽の於いての生物処理方法での処理水の汚濁物に混濁した洗剤、食品添加物、医療薬品、農薬、塩素滅菌剤、等、化学薬品の影響で、浄化のための微生物の活動が妨げられ、加えて、放流水に対しての凝集剤、塩素消毒剤の使用で河川水域の生態系が破壊されていく問題に対して、請求項４のイオン床材をもって解決する。
【作用】
【００１７】  〔０００７〕における請求項１の生物のイオン床材であるイオン培養土について、食品廃棄物、生ゴミ、屎尿汚泥等を腐殖有機物として有効利用を計ることで課題の解決をする意味に於いて、腐殖有機物と黒ボク土の持つ陰イオンエネルギ−と火山砂、又は、花崗岩砂の持つ陽イオンエネルギ−を結合させ中性エネルギ−を合成してイオン培養土を造り、水により陰イオンエネルギ−と陽イオンエネルギ−、及び、中性エネルギ−を植物や微生物へ生物エネルギ−として供給し、土壌微生物を再生することで二次的に起こされている環境汚染の地球温暖化と大気汚染での酸性雨を防止する。
【００１８】  〔０００９〕における請求項２の生物のイオン床材である漁礁、及び、敷材について、腐殖土と黒ボク土は陰イオンエネルギ−を放出し、火山砂礫、又は、花崗岩砂礫は地場を持ち乍ら陽イオンエネルギ−を放出し、水はこのイオンエネルギ−を吸収し、水の中に含まれる陰イオン物、及び、陽イオン物は中性イオン物に合成され、藻類、プランクトン、魚介類の生物エネルギ−となり河川水域の生態系が破壊されるのを防止する。
【００１９】  請求項３は生物全般に共通し、人間、植物、動物（家畜）、魚介類等に生物エネルギ−を供給するイオン床材は、黒ボク土に硅藻土と火山砂、及び、練着性の強い火山岩粉末を加え乾燥固化して焼成したものを割砕することにより、陰イオン有機物は焼滅し陽イオンエネルギ−を相乗効果によって高め、水を中性水として、更に、水に混入する陰イオン物及び、陽イオン物を中性にして水を生物エネルギ−が豊富な状態にする。
【００２０】  請求項４のイオン床材は、腐殖土と黒ボク土に硅藻土、及び、火山砂礫を凝固剤にて混合固化することにより、陰イオン物、中性イオン物、陽イオン物は互いに磁場を持ち乍ら陰イオンエネルギ−、中性イオンエネルギ−、陽イオンエネルギ−を放出し、これに係る汚水に於いては、中性イオン水、又は、還元水となり微生物から魚介類に到る植物連鎖を満たし、又土壌中の微生物の活動を活発にして腐殖有機物の発酵分解を速め植物に生物エネルギ−を供給する作用を持たせたものである。
【発明の効果】
【００２１】  本発明のイオン床材は、健康的で快適な環境造りを目的とするイオンガ−デンとしての環境浄化システムに係る植物、微生物、魚介類、そして人間等に生物のエネルギ−を供給し、環境を汚染することのない理想的な生活環境を提供できる効果を奏する。
【００２２】  屎尿汚泥、食品廃棄物、家畜排泄物、生ゴミ等の腐殖有機物を有効利用してイオン培養土を造り、植物（農作物）の生育を活発にし、新鮮で安全な食材を作り、又、化石燃料の大量消費による地球温暖化、煤煙、粉塵による酸性雨等の公害を防止し農業新興に貢献できる効果を奏する。
【００２３】  下水処理場と汚水処理場の汚泥、又、屎尿汚泥、食品廃棄物、生ゴミ等の有機物の腐殖土の再利用の漁礁、敷材の効能で河川水域の汚染を無くし、生態系破壊を防止し、藻類を増殖させたり魚貝類の環境を再生し増殖させ、漁業の振興に貢献する効果を奏する。
【発明を実施するための最良の形態】
【００２４】  本、発明に係る生物のイオン床材及びその製造方法を詳述する。
請求項１について、屎尿汚泥、食品廃棄物、生ゴミ、家畜排泄物等の有機物をイオン浄水器を用いて成る好気性微生物をもって腐殖有機物とし、その腐殖有機物１から２に対し黒ボク土１と火山砂２又は花崗土２の容量比で混ぜ合わしイオン培養土に転換し、腐殖有機物の陰（−）イオンエネルギ−、黒ボク土の有機物（陰イオン物）と火山灰（陽イオン物）との合成により、中性子有機物と陽イオン物の混合腐殖土と成ることで腐殖有機物の有効利用のイオン床材として製造する。〔００２８〕〔００２９〕に示す成分表（解説付）１、２参照の事。【００２５】  請求項２について、腐殖土は、屎尿汚泥、生ゴミ、食品廃棄物等の有機物をイオン浄水器（特許出願中）でイオン水としてそれを灌水し、好気性微生物により発酵分解をし、悪臭のない腐殖土とし、この腐殖土１から２に対し、黒ボク土１、火山砂１又は花崗岩砂１に凝固剤１から２の容量比とし、水と火山礫２を加え練り合わせる。この場合、火山礫にこだわることなく花崗岩礫やバラス等の重量の重いものを代用することを可とし、練り合わせた物を所定の型枠に流し込み乾燥固化し漁礁材にしたり、又、平板状に固化したものは塊状、又は粒状に割砕して敷石や目つぶし材として腐殖土を有効利用したイオン床材として製造する。【００２６】  請求項３について、火山砂２に黒ボク土１及び硅藻土又は火山岩粉末と水を加え練り合わせ煉瓦状に乾燥固化し１０００度から１２００度の温度で焼成固化し、その内より、上質の物をイオンガ−デン内の区画構築材に製品化し、他は塊状、又は、粒状に割砕してイオンガ−デン内のイオン浄水器、三相爆気装置、備付品のイオン床材として製造する。【００２７】  請求項４について、腐殖土１に硅藻土１及び火山砂１の容量比に凝固剤２を加え混ぜ合わせ、更に、火山礫２と水を加え練り合わせ平板状に乾燥固化し、塊状、及び、粒状に割砕してイオンガ−デンに係る三相爆気装置とその汚水浄化装置、及び、備付品のイオン床材として製造する。【００２８】
2008173622.tif 000002
【００２９】
2008173622.tif 000003